(57)【特許請求の範囲】
【請求項１】
内周壁に螺旋状に螺旋溝条が形成されている上端開口で下端が有底の外筒と、
周壁を径方向の内外に貫通して上下方向に延びる縦溝条が周壁に形成されていて、前記外筒の前記上端開口から前記外筒内に装着され前記外筒内に装着された状態で回転可能な、上端開口の内筒と、
前記内筒内に装着され、前記内筒の前記縦溝条を前記内筒の内側から外側に向かって貫通して前記外筒の内周壁に形成されている前記螺旋溝条に先端が挿入される突起部を備えていて、前記内筒の前記上端開口から前記内筒内に収容される円柱状の食品の底面が上面に置かれる支持板とを備えてなり、
前記内筒は上端側に筒状の摘み部を備えていて、前記外筒内に前記内筒を装着したときに前記摘み部が前記外筒の上端から突出し、前記摘み部を摘まんで前記内筒を前記外筒内で回転させることにより、前記突起部の先端が前記外筒の内周壁に形成されている螺旋溝条に挿入されている前記支持板が、前記螺旋溝条及び前記内筒の縦溝条に案内されて前記内筒内を上下方向に移動し、前記支持板が前記内筒内を上方向に向かって移動したときに前記円柱状食品の上端が前記内筒の摘み部から上方向に突出し、前記支持板が前記内筒内を下方向に移動したときに前記円柱状食品の上端が前記内筒の摘み部から前記内筒内に没入し、
前記内筒の上端側に配備されている前記筒状の摘み部の上端開口に食品切除具が備えられており、前記食品切除具は、前記内筒の上端開口を形成する周壁上面の一点を支点として回動可能に前記内筒の周壁上面に支持され、前記周壁上面を少なくとも半周以上の長さに亘って円弧状に延びる線状の切断具からなる
食品収容具。
【請求項２】
前記切断具は先端にノブを備えており、
前記食品収容具は、円盤状の頂板と当該頂板の周縁から垂下する周壁とを備えていて前記外筒の上端に被せられる筒状のキャップであって、前記外筒の上端に被せられる際に前記切断具のノブが挿通する溝条を前記周壁に備えているキャップにより密封されることを特徴とする請求項１記載の食品収容具。
【請求項３】
請求項１又は２記載の食品収容具に収容されて前記支持板上に載置される円柱状の食品であって、円柱状の食品の周壁が筒状の包装材によって被覆されており、当該筒状の包装材は長手方向に延びる接合箇所において周壁が接合されていると共に、周方向に延びる切離可能部を当該筒状の包装材の長手方向において複数備えており、当該切離可能部で当該筒状の包装材を周方向に切除可能になっていることを特徴とする円柱状食品。
【請求項４】
前記切離可能部は、前記筒状の包装材の周方向に延びる切り込み線、又は、円周状溝条であることを特徴とする請求項３記載の円柱状食品。
【請求項５】
請求項１又は２記載の食品収容具に収容されて前記支持板上に載置される円柱状の食品であって、円柱状の食品の周壁が筒状の包装材によって被覆されており、当該筒状の包装材は周方向にのみ延伸している一軸延伸フィルムからなり、長手方向に延びる接合箇所において周壁が接合されていて、長手方向における任意の箇所で周方向に切除可能になっていることを特徴とする円柱状食品。
【請求項６】
請求項３乃至５のいずれか一項記載の円柱状食品が請求項１又は２項記載の食品収容具に収容されて前記支持板上に載置されてなる円柱状食品容器。
【発明の詳細な説明】
【技術分野】
【０００１】
この発明は円柱状食品に関し、特に、円柱状の食品を収容する円柱状食品容器と、当該円柱状食品容器に収容されていて使い勝手のよい円柱状食品及び、その収容具に関する。
【背景技術】
【０００２】
円柱状の食品を収容する円柱状食品容器と、当該円柱状食品容器に収容されている円柱状食品及び、その収容具に関しては従来から種々の提案がされている。【０００３】
例えば、特許文献１、２には円柱状の食品容器に収容されているバターを、使用時に手を汚さず、簡便で、衛生的に使用する目的で押し出し式のスティックバターが提案されている。
【先行技術文献】
【特許文献】
【０００４】
【特許文献１】実開昭６２−６０６７８号公報
【特許文献２】特開２００１−２３３３８８号公報
【発明の概要】
【発明が解決しようとする課題】
【０００５】
特許文献１、２に記載されている円柱状の食品を収容する円柱状食品容器及び、これに食品が収容されている円柱状の食品は、いずれもスティック状（円柱状）のバター収容具に収容されている円柱状のバターを押し出して使用する形態のものである。これらは、商品として市販するにあたってスティック状のバター収容具にバターを充填するための手間や設備、その際の衛生面での配慮、等が必要であった。また、スティック状のバター収容具に収容されているバターを消費者が使い切った後に、再度、そのスティック状バター収容具を使用する場合には消費者自らがバターの充填を行う必要があった。【０００６】
そこで、この発明は、円柱状の食品を収容する円柱状食品容器と、当該円柱状食品容器に収容されている円柱状食品及び、その収容具を消費者にとってより使い易く、使い勝手のよいものにすることを目的にしている。
【課題を解決するための手段】
【０００７】
請求項１記載の発明は、
内周壁に螺旋状に螺旋溝条が形成されている上端開口で下端が有底の外筒と、
周壁を径方向の内外に貫通して上下方向に延びる縦溝条が周壁に形成されていて、前記外筒の前記上端開口から前記外筒内に装着され前記外筒内に装着された状態で回転可能な、上端開口の内筒と、
前記内筒内に装着され、前記内筒の前記縦溝条を前記内筒の内側から外側に向かって貫通して前記外筒の内周壁に形成されている前記螺旋溝条に先端が挿入される突起部を備えていて、前記内筒の前記上端開口から前記内筒内に収容される円柱状の食品の底面が上面に置かれる支持板とを備えてなり、
前記内筒は上端側に筒状の摘み部を備えていて、前記外筒内に前記内筒を装着したときに前記摘み部が前記外筒の上端から突出し、前記摘み部を摘まんで前記内筒を前記外筒内で回転させることにより、前記突起部の先端が前記外筒の内周壁に形成されている螺旋溝条に挿入されている前記支持板が、前記螺旋溝条及び前記内筒の縦溝条に案内されて前記内筒内を上下方向に移動し、前記支持板が前記内筒内を上方向に向かって移動したときに前記円柱状食品の上端が前記内筒の摘み部から上方向に突出し、前記支持板が前記内筒内を下方向に移動したときに前記円柱状食品の上端が前記内筒の摘み部から前記内筒内に没入し、
前記内筒の上端側に配備されている前記筒状の摘み部の上端開口に食品切除具が備えられており、前記食品切除具は、前記内筒の上端開口を形成する周壁上面の一点を支点として回動可能に前記内筒の周壁上面に支持され、前記周壁上面を少なくとも半周以上の長さに亘って円弧状に延びる線状の切断具からなる
食品収容具である。
【０００９】
請求項２記載の発明は、
前記切断具は先端にノブを備えており、
前記食品収容具は、円盤状の頂板と当該頂板の周縁から垂下する周壁とを備えていて前記外筒の上端に被せられる筒状のキャップであって、前記外筒の上端に被せられる際に前記切断具のノブが挿通する溝条を前記周壁に備えているキャップにより密封されることを特徴とする請求項１記載の食品収容具である。
【００１０】
請求項３記載の発明は、
請求項１又は２記載の食品収容具に収容されて前記支持板上に載置される円柱状の食品であって、円柱状の食品の周壁が筒状の包装材によって被覆されており、当該筒状の包装材は長手方向に延びる接合箇所において周壁が接合されていると共に、周方向に延びる切離可能部を当該筒状の包装材の長手方向において複数備えており、当該切離可能部で当該筒状の包装材を周方向に切除可能になっていることを特徴とする円柱状食品である。
【００１１】
請求項４記載の発明は、
前記切離可能部は、前記筒状の包装材の周方向に延びる切り込み線、又は、円周状溝条であることを特徴とする請求項３記載の円柱状食品である。
【００１２】
請求項５記載の発明は、
請求項１又は２記載の食品収容具に収容されて前記支持板上に載置される円柱状の食品であって、円柱状の食品の周壁が筒状の包装材によって被覆されており、当該筒状の包装材は周方向にのみ延伸している一軸延伸フィルムからなり、長手方向に延びる接合箇所において周壁が接合されていて、長手方向における任意の箇所で周方向に切除可能になっていることを特徴とする円柱状食品である。
【００１３】
請求項６記載の発明は、
請求項３乃至５のいずれか一項記載の円柱状食品が請求項１又は２項記載
の食品収容具に収容されて前記支持板上に載置されてなる円柱状食品容器である。
【発明の効果】
【００１４】
この発明によれば、円柱状の食品を収容する円柱状食品容器と、当該円柱状食品容器に収容されている円柱状食品及び、その収容具を消費者にとってより使い易く、使い勝手のよいものにすることができる。
【図面の簡単な説明】
【００１５】
【図１】本発明の円柱状食品容器の使用状態を説明する斜視図。
【図２】本発明の円柱状食品容器を説明する斜視図であって、（ａ）は使用開始前、（ｂ）はキャップをはずした状態、（ｃ）は本発明の円柱状食品収容具に収容されていた本発明の円柱状食品が上方に押し出された状態を表す斜視図。
【図３】本発明の円柱状食品収容具を構成する外筒、内筒、支持板を説明する図であって、（ａ）は外筒の内周壁を表す一部を省略した正面図、（ｂ）は内筒の一部を省略した斜視図、（ｃ）は支持板の平面図、（ｄ）は他の支持板の平面図。
【図４】本発明の円柱状食品に採用される筒状の包装材を説明する図であって、（ａ）は一部を省略した斜視図、（ｂ）は図４（ａ）図示の包装材が切離可能部で切除される状態を説明する一部を省略した斜視図、（ｃ）は他の包装材の一部を省略した斜視図、（ｄ）は図４（ｃ）の包装材を他の方向から見た一部を省略した斜視図、（ｅ）は図４（ａ）図示の包装材が採用されている本発明の円柱状食品の一部を省略した斜視図、（ｆ）は図４（ｃ）、（ｄ）図示の包装材が採用されている本発明の円柱状食品の一部を省略した斜視図。
【図５】本発明の円柱状食品収容具に採用される食品切除具の一例を説明する図であって、（ａ）は内筒の上側から見た平面図、（ｂ）は円柱状食品を切除する動作を終えた状態を説明する内筒の上側から見た平面図。
【発明を実施するための形態】
【００１６】
この発明の食品収容具は、外筒と、当該外筒内に回転可能に装着される内筒と、当該内筒内に装着される支持板とからで構成されている。
【００１７】
外筒は、上端開口で下端が有底であって、内周壁に螺旋状に螺旋溝条を備えている。
【００１８】
内筒は、上端が開口していて、その周壁を貫通して上下方向に延びる縦溝条を周壁に備えており、前記外筒内に回転可能に装着されるものである。
【００１９】
そして、前記内筒内に装着される支持板は、前記内筒の縦溝条を前記内筒の内側から外側に向かって貫通し、前記外筒の内周壁に形成されている螺旋溝条に先端が挿入される突起部を備えている。
【００２０】
このようにして構成されている本発明の食品収容具では、前記内筒を前記外筒内で回転させることにより、前記突起部の先端が前記外筒の内周壁に形成されている螺旋溝条に挿入されている前記支持板が、前記螺旋溝条及び前記内筒の縦溝条に案内されて前記内筒内を上下方向に移動する。
【００２１】
そこで、前記内筒内に円柱状の食品を収容し、前記支持板上に載置しておけば、支持板の上下方向移動に伴って、内筒内に収容されている円柱状の食品を内筒の先端（上側の端）の開口から出没させて使用することができる。
【００２２】
内筒の周壁に形成されている前述した縦溝条を、周方向に間隔を空けて複数形成しておくと共に、支持板に配備されている前記突起部も内筒周壁の縦溝条をそれぞれ貫通するように、周方向に間隔を空けて複数形成されている形態にし、当該複数個の突起部の先端がそれぞれ前記外筒の内周壁に形成されている螺旋溝条に挿入されている形態にすることもできる。
【００２３】
このようにすれば、外筒内で内筒が回転することにより、支持板が螺旋溝条及び内筒の縦溝条に案内されて内筒内を上下方向に移動する動作をより安定させて行わせることができる。
【００２４】
前述した本発明の食品収容具は、前記内筒の上端開口に食品切除具が備えられている構造にすることができる。
【００２５】
このようにすると、前述したように、内筒の先端（上側の端）の開口から押し出された円柱状の食品の内筒先端開口から突出している部分のみを切除して使用することができるので有利である。
【００２６】
本発明の食品収容具では、外筒、内筒のサイズ、内筒に収容される円柱状食品のサイズがあらかじめ定められているので、内筒を何回転したときに何ｇの円柱状食品が内筒の先端開口から突出するか定まる。そこで、料理レシピにしたがって円柱状食品を使用するときに、必要なｇ数に相当するだけ内筒を回転させ、前記食品切除具を使用して、円柱状食品の内筒先端開口から突出している部分を切除し、手を汚さずに、衛生的に、必要な分量の円柱状食品を使うことができる。
【００２７】
前記食品切除具は、前記内筒の上端開口を形成する周壁上面の一点を支点として回動可能に前記内筒の周壁上面に支持され、前記周壁上面を少なくとも半周以上の長さに亘って円弧状に延びる線状の切断具からなる構造にすることができる。
【００２８】
このようにすれば、前述したように、円柱状食品の内筒先端開口から突出している部分を手を汚さずに、衛生的に切除して使用する上で有利である。
【００２９】
本発明が提案する円柱状食品容器は、前記で説明した本発明の食品収容具に円柱状の食品が収容されて前記支持板上に載置されているものであるが、この円柱状の食品としては次のような構造のものを採用できる。
【００３０】
例えば、円柱状の食品の周壁が筒状の包装材によって被覆されており、当該筒状の包装材は長手方向に延びる接合箇所において周壁が接合されていると共に、周方向に延びる切離可能部を当該筒状の包装材の長手方向において複数備えており、当該切離可能部で当該筒状の包装材を周方向に切除可能になっている円柱状食品である。
【００３１】
この場合、切離可能部は、前記筒状の包装材の周方向に延びる切り込み線、又は、円周状溝条にすることができる。
【００３２】
あるいは、円柱状の食品の周壁が筒状の包装材によって被覆されており、当該筒状の包装材は周方向にのみ延伸している一軸延伸フィルムからなり、長手方向に延びる接合箇所において周壁が接合されていて、長手方向における任意の箇所で周方向に切除可能になっている円柱状食品である。
【００３３】
ここで、前記の円柱状の食品としては、バター、マーガリン、スプレッド、その他固形または可塑性の油脂組成物や、チーズ、等、可塑性を有する食品、アイスクリーム、菓子類（羊羹、ういろうの類）など、円柱状に成形されているものであれば種々の食品を採用することができる。
【００３４】
また、筒状の包装材としては、食品に使用可能な樹脂材料であればいずれも使用可能で、例えば、ＰＥＴ、ポリスチレン、ポリエチレン、ポリプロピレン、ポリ塩化ビニール、これらの組み合わせ、あるいは紙、アルミとの組み合わせ（貼り合わせ）などを使用することができる。
【００３５】
前記の円柱状の食品は、前述したように、周壁が筒状の包装材によって被覆され、その上端面、下端面はそれぞれ前記筒状包装材の円柱状食品の上下端から突出する部分によって被覆され、包装されている状態になっている。
【００３６】
前述した形態の円柱状食品によれば、いずれの形態であっても、円柱状の食品は包装されている状態で内筒内に収容されており、内筒の先端（上側の端）の開口から押し出された円柱状食品の内筒先端開口から突出している部分を覆っている筒状の包装材のみを周方向に切除することによって当該部分の円柱状食品を露出させ、前記食品切除具によって切除して使用することができる。
【００３７】
そこで、消費者は手を汚さずに円柱状の食品を使用して使い切ることが可能であり、使い切った後は、前述したように包装されている新たな円柱状の食品を、本発明の食品収容具の内筒内に収容して支持板上に載置し、これまた、消費者の手を汚すことなく、再度、使用し始めることができる。
【００３８】
このように、本発明の食品収容具及び、円柱状食品容器によれば、前述したように周壁が筒状の包装材で被覆されている円柱状食品、すなわち、あらかじめ包装されている円柱状食品を、包装されている状態で食品収容具に収容して使用することができる。本発明によれば、このように、あらかじめ包装されている状態の円柱状食品を食品収容具に収容して使用するので、あらかじめ包装されている状態の円柱状食品の詰め替えが可能で、なおかつ、詰め替えを簡便にかつ衛生的に行うことができる。
【００３９】
そして、内筒内に収容するあらかじめ包装されている円柱状食品を入れ替えるだけで、簡単に詰め替えを行うことができるので、例えば、円柱状食品としてスティック状バターを使用した後、円柱状食品として包装されているスティック状チーズに詰め替えて使用することなども簡単に、かつ、衛生的に行うことができる。
【００４０】
従来から存在していた、あらかじめ包装されている円柱状食品の場合、パーチ紙などに包装されているものが一般的で、消費者が一部使用した後、包み直すのが面倒であったり、包み直す時に手が汚れる、綺麗に密閉状態に包み直すことが困難である、ということがあった。このため、いったん開封された後の円柱状食品は、その後の保管時に乾燥して色が変わったり、冷蔵庫のにおいが移ったりして不便である、等の問題があった。
【００４１】
本発明の円柱状食品は、前述した本発明の食品収容具に収容されて使用されることから、使用する部分のみの外周を被覆している包装材を切除し、使用する部分のみを円柱状食品から切り取るときに使用者（消費者）の手が汚れるおそれが少なく、なおかつ、衛生的に使用することができる。そして、円柱状食品の未使用部分は最後まで包装材に被覆されている状態で食品収容具の内筒内に収容されて保存されるので、保管時に乾燥して色が変わったり、冷蔵庫のにおいが移る等の問題を未然に防止して、衛生的に保存することができる。
【００４２】
以下、添付図面を参照して、本発明の食品収容具、円柱状食品容器に収容される本発明の円柱状食品が円柱状のバター（スティックバター）である場合について、本発明の好ましい実施例を説明するが、本発明はこれに限られること無く、特許請求の範囲の記載から把握される技術的範囲において種々に変更可能である。
【実施例１】
【００４３】
本発明の食品収容具であるバター収容具は、図１、図２図示のように、外筒３と、外筒３内に回転可能に装着される内筒４と、内筒４内に装着される支持板５とからで構成されている。【００４４】
外筒３は、下端が有底で、上端が開口していて、図３（ａ）に一例を示すように、内周壁に螺旋状に螺旋溝条６を備えている。【００４５】
内筒４は、図３（ｂ）図示のように、上端が開口していて、その周壁を貫通して上下方向に延びる縦溝条７を周壁に備えている。内筒４は外筒３の上端開口から外筒３内に装着され、図２（ｂ）に矢印３１、３２で示すように、外筒３内に装着された状態で回転可能になっている。【００４６】
内筒４は、上端側に摘み部９を備えており、外筒３内に内筒４を装着したときに摘み部９が図２（ｂ）図示のように外筒３の上端から突出し、この摘み部９を摘まんで、内筒４を外筒３内で矢印３１、３２で示すように回転させることができる。【００４７】
内筒４内に装着される支持板５は、内筒４の縦溝条７を内筒４の内側から外側に向かって貫通し、外筒３の内周壁に形成されている螺旋溝条６に先端が挿入される突起部８を備えている（図３（ｃ））。【００４８】
内筒３が外筒４内で矢印３１、あるいは矢印３２方向に回転すると、螺旋溝条６の傾斜方向に応じて、突起部８の先端が螺旋溝条６に挿入されている支持板５が、螺旋溝条６及び縦溝条７に案内されて、矢印２５、あるいは矢印３６で示すように内筒３内を上下方向に移動する。【００４９】
なお、内筒３の周壁に形成されている縦溝条７は、周方向に間隔を空けて複数形成しておくことができる。この場合、支持板５に配備されている突起部も内筒３の周壁の複数本縦溝条をそれぞれ貫通するように、周方向に間隔を空けて複数形成されている形態にする。例えば、図３（ｄ）図示のように、円盤状の支持板５に直径対称的に突起部８ａ、８ｂが上下方向（図２（ｂ）、（ｃ）中、上下の方向）に間隔を空けて配備されていて、この突起部８ａ、８ｂの先端が、内筒３の周壁に直径対称的に形成されている２本の縦溝条をそれぞれ貫通し、外筒３の内周壁に形成されている螺旋溝条６の上下方向の異なる高さ位置に、それぞれ、挿入されている構造にすることができる。【００５０】
このようにすれば、外筒４内で内筒３が回転することにより、支持板５が螺旋溝条６及び縦溝条７に案内されて内筒３内を上下方向に移動する動作が安定する。【００５１】
内筒４の上端開口には食品切除具であるバター切除具２１が備えられている。図示の実施形態では、バター切除具２１は、図５図示のように、内筒４の上端開口を形成する周壁上面の一点を支点１０として矢印３３、３４で示すように回動可能に内筒４の周壁上面に支持され、内筒４の周壁上面を少なくとも半周以上の長さに亘って円弧状に延びる線状の切断具１２から構成されている。【００５２】
図５（ａ）図示の状態から、切断具１２の先端に備えられているノブ１３を持ってバター切除具２１を矢印３３方向に回転させて図５（ｂ）図示の状態にすると、内筒４の上端開口から上方に突出していた円柱状のバター１６を切除することができる。図５（ｂ）中、符号１６ａで示す部分は、内筒４の上端開口から上方に突出していた円柱状のバター１６が切除された後の切断面である。切除終了後は、バター切除具２１を、ノブ１３を持って矢印３４方向に回転させて図５（ａ）図示の状態に戻す。【００５３】
円柱状のバター１６を切除するため、切断具１２は、前述したように、支点１０から内筒４の周壁上面を少なくとも半周以上の長さに亘って円弧状に延びる構造にすることが望ましい。【００５４】
線状の切断具１２を採用することによって、図２(ａ)図示のように、スティックバター容器３０にキャップ１を被せている際に密封性を向上させることができる。【００５５】
この場合、キャップ１は、図１図示のように、円盤状の頂板２ａと、頂板２ａの周縁から垂下する周壁２ｂとを備えていて、周壁２ｂに、バター切除具２１のノブ１３が挿通できる溝条１０が形成されているものを使用できる。【００５６】
以上説明したように、外筒３、内筒４、支持板５とからで構成される本発明のバター収容具は、内筒４内に円柱状食品である円柱状のスティックバター１４を収容し、支持板５上に載置して、スティックバター容器３０（円柱状食品容器）として使用される。【００５７】
スティックバター１４は、図４（ｅ）、（ｆ）に一例を示すように、円柱状のバター１６の周壁が筒状の包装材１５によって被覆されているものを使用できる。筒状の包装材１５は、図４（ａ）〜（ｄ）に一例を示すように、長手方向に延びる接合箇所２０において周壁が接合されていると共に、周方向に延びる切離可能部１７、１８を筒状の包装材１５の長手方向において複数備えているものである。そこで、図４（ｂ）図示のように、接合箇所２０に設けられている耳部１９を摘まんで周方向に引っ張ると、所定の切離可能部１８で筒状の包装材１５を周方向に切除することができる。【００５８】
図４（ａ）、（ｂ）、（ｅ）は  接合箇所２０に設けられている耳部１９が片耳タイプの場合、図４（ｃ）、（ｄ）、（ｆ）は  接合箇所２０に設けられている耳部１９が両片タイプの場合を説明するものである。【００５９】
周方向に延びる切離可能部１７、１８の形態としては、筒状の包装材１５の周方向に延びる切り込み線、又は、円周状溝条を採用することができる。【００６０】
また、図示していないが、円柱状のバター１６の周壁を被覆する筒状の包装材１５として、周方向にのみ延伸している一軸延伸フィルムを採用し、これが、長手方向に延びる接合箇所２０において接合されているものを採用することもできる。筒状の包装材１５が周方向にのみ延伸している一軸延伸フィルムであることから、図４（ｂ）に例示したものと同様に、周方向にのみ切除可能になる。しかも、前述した実施形態のように、周方向に延びる切離可能部１７、１８が形成されている箇所に限定されることなく、筒状の包装材１５の長手方向における任意の箇所で周方向に切除することができる。【００６１】
以上に説明したように、周方向にのみ方向性を持って切除可能な筒状の包装材１５によって円柱状のバター１６の周壁が被覆されている円柱状のスティックバター１４が、内筒４内に収容されて支持板５上に載置されている本発明のスティックバター容器３０は、次のようにして使用される。【００６２】
図２（ａ）図示の状態から、キャップ１を外し、内筒４の摘み部９を摘まんで、内筒４を外筒３内で矢印３１方向に回転させる（図２（ｂ））。これによって、突起部８の先端が外筒３の内周壁に形成されている螺旋溝条６に挿入されている支持板５は、螺旋溝条６及び内筒４の縦溝条７に案内されて内筒３内を矢印３５で示すように上昇し、支持板５に下端が支持されているスティックバター１４の上端が内筒４の上端開口から突出する（図２（ｃ））。【００６３】
この状態で、内筒４の上端開口かから突出している部分（円柱状のバター１６）を被覆している筒状の包装材１５の部分のみを、耳部１９を摘まんで図１に示すように周方向に切除する。【００６４】
そして、図５（ａ）、（ｂ）に示すように、切断具１２の先端に備えられているノブ１３を持ってバター切除具２１を矢印３３方向に回転させて、内筒４の上端開口から上方に突出していて、周壁を被覆していた包装材１５が切除されたバター１６を切り取って使用する。【００６５】
なお、使用完了後、内筒３を矢印３２方向に回転させ、支持板５を内筒３内で矢印３６方向に下降させ、スティックバター１４の未使用部分を内筒３内の下側に移動させることができる。
【符号の説明】
【００６６】
３    外筒
４    内筒
５    支持板
６    螺旋溝条
７    縦溝条
９    内筒の摘み部
８    突起部
２１  バター切除具
１０  バター切除具の支点
１２  線状の切断具
１３  切断具のノブ
１６  円柱状のバター
３０  スティックバター容器
１４  円柱状のスティックバター
１５  筒状の包装材
２０  包装材の接合箇所
１７、１８  周方向に延びる切離可能部
【図１】
0005888745.tif 000002
【図２】
0005888745.tif 000003
【図３】
0005888745.tif 000004
【図４】
0005888745.tif 000005
【図５】
0005888745.tif 000006